(57)【要約】【課題】公知の機構とは異なる方法のレトログラード表示機構によって駆動されるジャンプ表示機構を提案する。【解決手段】カム５と、該カム５により駆動されるラック３と、該ラック３により駆動され、時刻情報の第１の項目を表示するためのレトログラード指示部２を支持するレトログラード可動部２０とを含む時計ムーブメント用の機構１において、ラック３及びレトログラード可動部２０が、同方向において回転するように配置されている。
2019509504.tif 000002
【特許請求の範囲】
【請求項１】
−カム（５）と、
−該カム（５）により駆動されるラック（３）と、
−該ラック（３）により駆動され、時刻情報の第１の項目を表示するためのレトログラード指示部（２）を支持するレトログラード可動部（２０）と
を含む時計ムーブメント用の機構（１）において、
前記ラック（３）及び前記レトログラード可動部（２０）が、同方向において回転するように配置されていることを特徴とする機構。
【請求項２】
前記ラックの１つの端部（３２）が、内歯部（３２０）と嵌合する開口部を含んでおり、前記レトログラード可動部（２０）が、前記内歯部（３２０）によって駆動されることを特徴とする請求項１に記載の機構（１）。
【請求項３】
−時刻表示の第２の項目を表示し、内歯部（６１０）を含むジャンプ表示リング（６０）と、
−前記ジャンプ表示リング（６０）をジャンプ式に回転するように駆動するための前記内歯部（６１０）と協働する駆動部材（４）を含む前記ラック（３）と
を含んでいることを特徴とする請求項１又は２に記載の機構（１）。
【請求項４】
前記内歯部（６１０）が、非対称な側面を有する複数の歯を含んでおり、前記内歯部（６１０）の１つの歯の１つの側面に当接するように、また前記ラック（３）が反時計回りの方向において回転しているときに前記ジャンプ表示リング（６０）を駆動するように、及び前記内歯部（６１０）の１つの歯の他の側面に沿って摺動するように、又は前記ラック（３）が時計回りの方向において回転しているときに前記内歯部（６１０）と接触しないように、前記ラック駆動部材（４）が配置されていることを特徴とする請求項３に記載の機構（１）。
【請求項５】
前記駆動部材（４）が、前記ラックを旋回させ得る軸を用いて前記ラック（３）に取り付けられていることを特徴とする請求項３又は４に記載の機構（１）。
【請求項６】
前記ラック（３）に取り付けられ、前記駆動部材（４）を前記内歯部に対して押圧する力を作用させるスプリング（４２）を含んでいることを特徴とする請求項５に記載の機構。
【請求項７】
時刻情報の前記第１の項目が現在の時（アワー）であり、時刻情報の前記第２の項目が現在の分であることを特徴とする請求項３〜６のいずれか１項に記載の機構（１）。
【請求項８】
請求項７に記載された時計ムーブメントを用いた時刻情報の項目を表示する方法であって、以下のステップ：
−前記ムーブメントが前記カム（５）を駆動するステップと、
−前記カムが前記ラック（３）を駆動するステップと、
−前記ラックが前記レトログラード可動部（２０）及び前記レトログラード指示部（２）を駆動するステップと、
−現在の時（アワー）を表示するために、前記ラック（３）が前記ジャンプ表示リング（６０）を駆動するステップと
を含んでいる前記方法において、
前記ラック（３）、前記レトログラード可動部（２０）及び前記指示部（２）が同方向に回転することを特徴とする方法。
【請求項９】
前記ジャンプ表示リング（６０）が、前記ラック（３）に取り付けられた駆動部材（４）によって、ジャンプ式に回転するよう駆動されることを特徴とする請求項８に記載の方法。
【請求項１０】
前記ラック（３）の時計回りの回転により、レトログラード可動部（２０）の時計回りの回転と、現在の時（アワー）を表示する前記ジャンプ表示リング（６０）の反時計回りの回転とが駆動されることを特徴とする請求項８又は９に記載の方法。
【請求項１１】
前記カム（５）が反時計回りの方向において回転するとともに時計回りの方向における前記ラック（３）の回転を駆動するときに、前記ラック（３）が、時計回りの方向における回転によって、前記レトログラード可動部（２０）、前記指示部（２）及び前記駆動要素（４）の同方向における回転を駆動し、前記駆動部材（４）が、前記ジャンプ表示リング（６０）の回転を駆動することなく、前記ジャンプ表示リング（６０）に結合された内歯部（６１０）の側面（６１０１）に沿って移動することを特徴とする請求項８〜１０のいずれか１項に記載の方法。
【請求項１２】
前記ラックの前記第１の端部（３１）が前記カム（５）の頂部（５１）に到達するときに、前記駆動部材（４）が、前記ジャンプ表示リング（６０）に結合された前記内歯部（６１０）の側面（６１００）に対して当接することを特徴とする請求項８〜１１のいずれか１項に記載の方法。
【請求項１３】
前記ラックの前記第１の端部（３１）が前記カム（５）の頂部（５１）から下がるときに、前記ラック（３）の第２の端部（３２）が、ほぼ瞬時に反時計回りの方向において回転するよう駆動され、前記レトログラード可動部（２０）、前記指示部（２）、前記駆動部材（４）及び前記ジャンプ表示リング（６０）の同方向におけるほぼ瞬時の回転を生じさせることを特徴とする請求項８〜１２のいずれか１項に記載の方法。
【発明の詳細な説明】
【技術分野】
【０００１】
本発明は、レトログラード表示及びジャンプ表示を有する時計ムーブメント用の機構に関するものである。
【背景技術】
【０００２】
レトログラード表示、すなわち針又はディスクが所定の期間にわたって一方向へ回転し、そして、この期間の終わりにおいて逆方向へ迅速にほぼ瞬時に初期位置へ跳ね戻る表示が時計学において知られている。当該レトログラード表示は、例えば、３６０°より小さな円弧をカバーする１〜６０の目盛りにわたって分を表示するために用いられる。当該レトログラード表示により、他の情報を表示するためのダイヤルにおける空間を解放することが可能である。さらに、各時の分表示部の迅速な戻りにより、時計の文字盤における動きが生み出される。
【０００３】
時刻表示部が１つの値から他の値へほぼ瞬時にジャンプするジャンプ表示も知られている。当該ジャンプ指示部は、とりわけ、ウィンドウにおいて月の特定の日を表示するために用いられる。当該ジャンプ指示部、ウィンドウにおける現在の時（アワー）の表示を含む他の情報を表示するために用いられることもある。本願の範囲内では、「ジャンプ表示（部）」という表現は、ジャンプがほぼ瞬時である表示（部）も、またジャンプが迅速ではないものの、それにもかかわらず表示部の進みが不連続であるトレーリング表示（部）もカバーしている。
【０００４】
本発明の課題は、レトログラード表示とジャンプ表示を組み合わせる時計ムーブメントを生み出すことにある。
【０００５】
レトログラード表示とジャンプ表示を組み合わせる時計もそれ自体知られている。特許文献１には、例えば、１８０°にわたる分表示と、ディスクにおけるジャンプアワー表示とを含む時計が記載されている。アワーディスクは、渦状カムを用いて駆動される。
【０００６】
特許文献２には、ジャンプアワー表示及びレトログラード分表示を含む時計の他の例が記載されている。分ラックは、２つの歯付き部材を有しており、そのうち１つは運動を分表示部材へ伝達するためのものであり、他のものは欠けた１つの歯を有するピニオンによって駆動されるためのものであり、このピニオンは、時歯車に固定されているとともに、１時間につき１回転の割合で駆動される。ラックの瞬時の戻りは、ピニオンの欠けた歯の場所におけるラックの最後の歯の運動に対応する。
【０００７】
特許文献３は、ジャンプアワー表示及びレトログラード分表示を有する時計に関するものであり、この時計においては、アワーディスクのアワージャンプ及びレトログラード針の復帰の両方が、リンクにおいて作用する同一の１つのカムによってもたらされる。
【０００８】
特許文献４は、トリプル（分、時（アワー）、日付）レトログラード表示を有する時計に関するものであり、アワー表示はジャンプ表示である。レトログラードアワー表示は、両方向に移動するラックを用いて達成される。
【０００９】
特許文献５は、１８０°にわたるレトログラード分表示と、ディスクによって支持されウィンドウを通して視認可能なジャンプアワー表示とを含む時計に関するものである。
【００１０】
特許文献６は、レトログラード分表示と、ディスクにおけるジャンプアワー表示とを含む時計に関するものである。レバーが、分歯車に固定された渦状カムの回転によって、１時間ごとに一度持ち上げられる。
【００１１】
特許文献７は、いくつかの歯が欠けているピニオンを用いた２４０°にわたる日付のレトログラード表示を有する時計に関するものである。
【００１２】
特許文献８は、２７０°の角度範囲にわたる時（アワー）のような時刻情報の項目のレトログラード表示を含む時計に関するものである。レトログラードモジュールは、カム及びラックを含んでいる。
【００１３】
特許文献９は、ジャンプアワー表示のための機械的な装置に関するものである。
【００１４】
特許文献１０は、ジャンプアワー表示と、３３０°の範囲にわたる分の表示とを有する時計に関するものである。分表示ホイールと分駆動スターホイールの間に結合解除要素が設けられている。
【００１５】
特許文献１１は、いくつかの歯が欠けているとともにラックに係合する分ピニオンを用いた、ある角度範囲にわたる分のレトログラード表示に関するものである。
【先行技術文献】
【特許文献】
【００１６】
【特許文献１】欧州特許第０９５０９３２号明細書
【特許文献２】スイス国特許出願公開第６９１８３３号明細書
【特許文献３】スイス国特許第６９８１３２号明細書
【特許文献４】欧州特許第１１３４６２７号明細書
【特許文献５】国際公開第９７／４０４２４号
【特許文献６】欧州特許第０７８８０３６号明細書
【特許文献７】スイス国特許出願公開第６８１７６１号明細書
【特許文献８】欧州特許第２０１０９７号明細書
【特許文献９】欧州特許出願公開第２５９５００６号明細書
【特許文献１０】独国特許第１０２００２８４号明細書
【特許文献１１】スイス国特許出願公開第６８８０６８号明細書
【発明の概要】
【発明が解決しようとする課題】
【００１７】
本発明の課題は、現存の解決手段とは異なるレトログラード表示機構を提案することにある。
【００１８】
本発明の他の課題は、公知の機構とは異なる方法のレトログラード表示機構によって駆動されるジャンプ表示機構を提案することにある。
【００１９】
本発明によれば、これら課題は、とりわけ、対応する独立請求項による機構を用いて達成される。
【００２０】
本発明の他の課題は、従来技術の方法とは異なる表示方法を提案することにある。
【００２１】
本発明の他の課題は、従来技術の方法とは異なる表示方法を提案することにある。
【００２２】
本発明の他の課題は、単純化されたレトログラード表示方法及びジャンプ表示方法を提案することにある。
【課題を解決するための手段】
【００２３】
本発明によれば、これら課題は、カムと、該カムにより駆動されるラックと、ラックにより駆動され、時刻情報の第１の項目を表示するためのレトログラード指示部を支持するレトログラード可動部とを含み、ラック及びレトログラード可動部が、同方向において回転するように配置されている時計ムーブメント機構によって達成される。
【００２４】
本発明の他の態様によれば、時計ムーブメント機構は、カムと、該カムにより駆動されるラックと、ラックにより駆動され、時刻情報の第１の項目を表示するためのレトログラード指示部を支持するレトログラード可動部とを含んでおり、ラックの端部が、内歯部を有する開口部を含んでおり、レトログラード可動部が、内歯部によって駆動され得る。
【００２５】
ラックの回転方向は、形状と、カム、例えば渦状カムの回転方向とによって決定される。時計の通常の動作中に反時計回りの方向において回転するカムが設けられることが望ましい。なぜなら、これにより、カムが、通常は時計回りの方向において回転する通常の運動のアワーホイールを直接退去させることができるためである。そして、カムの周囲により駆動されるラックは、時計回りの方向において回転する。したがって、ラックと同方向においてレトログラード可動部を直接駆動することを可能とする特許請求された機構により、中間伝達ホイールを省略することができ、したがって、部材点数及びギヤトレーンにおける遊びの量を制限することが可能である。
【００２６】
機構はラックを有することができ、このラックの端部は、内歯部に設けられた開口部を含んでおり、レトログラード可動部が内歯部によって駆動されることが可能である。
【００２７】
内側開口部のほんの一部、例えばカムの反対側における一部が歯部を備えることが可能である。
【００２８】
開口部によって分離された２つの分岐部を備えたラックは、１つの分岐部の従来の端部よりも剛性が高く、レトログラード可動部に対する遊びを制限することが可能である。
【００２９】
この解決手段も、レトログラード表示機構におけるラックの通常でない形状によるより満足な見た目を提供するという利点を有している。ラック、レトログラード可動部及びレトログラード指示部の全てが同一方向へ回転するという事実は、本発明によるレトログラード表示装置の通常でない特質に加えられるものである。
【００３０】
一実施例によれば、時計ムーブメント機構は、カムと、該カムによって駆動されるラックと、ラックにより駆動され、時刻情報の第１の項目を表示するためのレトログラード指示部を支持するレトログラード可動部とを含むことができ、ラック及びレトログラード可動部が、好ましくは、同一方向において回転するように配置され、時刻情報の第２の項目を表示するためのジャンプ表示リングが更に含まれ、ジャンプ表示リングが内歯部を含んでおり、ラックが、ジャンプ表示リングをジャンプ式に回転させるように駆動するために内歯部と協働する駆動部材を含んでいる。
【００３１】
一実施例によれば、カムは、摩擦中央ホイール又は中間伝達ホイールを用いて時計ムーブメントによって駆動されることが可能である。
【００３２】
この解決手段も、新規で、存在する解決手段とは異なる利点を提供するものである。
【００３３】
好ましい一実施例では、時計ムーブメントは、両方向においてレトログラード可動部を補正することが可能な補正機構と、この補正機構によって作動され得るとともに非対称な内歯部と噛合している駆動部材とを含んでおり、その結果、時計回りの方向におけるレトログラード可動部の補正がアワーリングへ伝達される一方、反時計回りの方向における補正はアワーリングに伝達されない。
【００３４】
レトログラード表示の二方向の補正により、一回転を完了することなくレトログラード表示の位置を補正することが可能である。したがって、時刻をより迅速に設定することが可能である。
【００３５】
例えば、レトログラード分表示の場合には、両方向におけるこの表示の位置を補正することが可能である。したがって、時計ムーブメントが２，３分進んでいる場合に、ほぼ一回転進める必要なく、かつ、時（アワー）表示の位置に影響を与えることなく時計ムーブメントを戻して補正することが可能である。
【００３６】
それゆえ、この実施例は、レトログラード表示、例えば分表示のシンプルで迅速な補正を可能とする、従来技術に対する利点を提供するものである。
【００３７】
時計回りの方向におけるレトログラード表示の補正は、ジャンプアワーリングへ伝達される。レトログラード分表示の場合には、このレトログラード分表示は、例えば、分表示が５９から００へ移動するごとに１時間だけジャンプによってジャンプアワー表示を時計回りの方向において補正することを可能とするものである。ジャンプアワーリングのこの補正は、通常の時計の動作中に用いられるジャンプアワー駆動機構を用いて非常にシンプルに達成されることができる。
【００３８】
これに対して、（遅らせるための）時計回りの方向におけるレトログラード分表示の補正は、好ましくはジャンプアワーリングへ伝達されない。これは、通常のジャンプアワー駆動機構が通常は反時計回りの方向においてジャンプを可能とすることによるものであり、ジャンプアワー駆動機構は、ギヤトレーンの作用の下で時計回りの方向においてジャンプアワーリングを移動させるためだけに設定されている。換言すれば、補正は、反時計回りの方向においてリュウズにより駆動されない。例えば、ジャンプアワー駆動機構は、しばしば、ジャンプが一方向にのみ交差し得る、ジャンプを伴うカム、例えば渦状カムを含んでいる。ジャンプアワーリングへの反時計回りの方向における補正の伝達を避けることで、このリングの駆動機構を修正する必要性が回避される。
【００３９】
したがって、反時計回りの方向における分の補正に関して制限されているものの時計回りの方向において制限されていない補正を選択することで、実用的で容易に操作可能であり、同時にムーブメントに関する構造をかなり単純化するムーブメントが得られ、このムーブメントにより、かなり大きな複雑性に対する利便性についての小さな改善のみを提供する両方向において制限されない補正が可能となる。
【００４０】
したがって、この構造により、ジャンプアワー駆動機構を修正する必要なく、リュウズの非常にわずかな操作により行われ得るシンプルで非常に多数の補正を可能とする補正機構を生み出すことができる。
【００４１】
一実施例では、レトログラード可動部がこのディスクのジャンプ付近の範囲内での反時計回りの方向において補正されることを回避し、この範囲の外部でのこのディスクの他の全ての位置において補正を可能とするために、補正ブロック機構が設けられている。例えば、レトログラード可動部が分を表示する場合には、機構は、レトログラード分表示部が６０分を含む範囲において値を示しているときに、反時計回りの方向における補正を阻止することが可能である。これにより、分ディスクの反時計回りの方向における補正の結果、ジャンプアワー表示部がこの範囲において不意に移動するリスクを回避することが可能となる。
【００４２】
この補正ブロック機構はカムフィーラに接続されることができ、このカムフィーラは、ラックに存在することができるとともに、渦状カムがフィーラジャンプの位置の近傍に位置するときに回転の２つの方向のうち１つにおけるこの渦状カムの回転をブロックする。
【００４３】
ジャンプ表示リングに結合された内歯部は、内歯部の１つの歯の１つの側面に当接するように、またラックが反時計回りの方向において回転しているときにジャンプ表示リングを駆動するように、及び内歯部の１つの歯の他の側面に沿って摺動するように、又はラックが時計回りの方向において回転しているときに内歯部と接触しないように、非対称な側面を有する複数の歯を含むことができる。
【００４４】
ラックを駆動する駆動部材は、旋回を可能とする軸を用いてラックに取り付けられることが可能である。
【００４５】
機構は、ラックに取り付けられたスプリングを含むことができるとともに、駆動部材を内歯部に対して押圧する力を作用させることが可能である。
【００４６】
駆動部材は、歯又はフィンガであってよい。
【００４７】
一実施例では、時刻情報の第１の項目が現在の時（アワー）であり、時刻情報の第２の項目が現在の分であってよい。
【００４８】
本発明によれば、上述の時計ムーブメント機構を用いた時刻情報の項目を表示する方法は、ムーブメントが前記カムを駆動するステップと、カムがラックを駆動するステップと、ラックがレトログラード可動部及び指示部を駆動するステップと、ラックがジャンプ現在時（アワー）表示リングを駆動するステップと、レトログラード可動部及び指示部が同方向に回転するステップとを含むことができる。
【００４９】
この方法により、ラックに取り付けられた調整部材によってジャンプ式にジャンプ表示リングを駆動させることが可能である。
【００５０】
本発明によれば、ラックの時計回りの回転は、レトログラード可動部の時計回りの回転と、現在の時（アワー）を表示するためにジャンプ表示リングの反時計回りの回転とが駆動することが可能である。
【００５１】
本発明によれば、カムが反時計回りの方向において回転するとともに時計回りの方向におけるラックの回転を駆動するときに、ラックが、時計回りの方向における回転によって、レトログラード可動部、指示部及びフィンガの同方向における回転を駆動することができ、前記フィンガが、前記リングを回転させることなく、ジャンプ表示リングに結合された内歯部の側面に沿って移動することが可能である。
【００５２】
ラックの第１の端部がカムの頂部から下がるときに、ラックの第２の端部が、ほぼ瞬時に反時計回りの方向において回転するよう駆動され、レトログラード可動部、歯、指示部及び時（アワー）を支持するジャンプ表示リングの同方向におけるほぼ瞬時の回転を生じさせる。
【００５３】
機構は、時計ムーブメントと、ムーブメントと協働するよう意図された複合部（ｃｏｍｐｌｉｃａｔｉｏｎ）、追加モジュールなどで構成されることができる。
【００５４】
上述の機構も、時（アワー）とは異なる情報のジャンプ表示のために、及び／又は分とは異なる情報のレトログラード表示のために用いられることが可能である。
【００５５】
本発明の例示的な実施例が、添付の図面によって示された説明において示される。
【図面の簡単な説明】
【００５６】
【図１】本発明による機構の主要構成要素の平面図である。
【図２】０分における、本発明による機構の主要構成要素の平面図である。
【図３】１７分における、本発明による機構の主要構成要素の平面図である。
【図４】３５分における、本発明による機構の主要構成要素の平面図である。
【図５】５９分における、本発明による機構の主要構成要素の平面図である。
【図６】６０分における、本発明による機構の主要構成要素の平面図である。
【図７】６０分から０分へのジャンプ中における、本発明による機構の主要構成要素の平面図である。
【図８】６０分から０分へのジャンプ中における、本発明による機構の主要構成要素の平面図である。
【図９】６０分から０分へのジャンプ中における、本発明による機構の主要構成要素の平面図である。
【図１０】６０分から０分へのジャンプ中における、本発明による機構の主要構成要素の平面図である。
【図１１】０分における、本発明による機構の主要構成要素の平面図である。
【発明を実施するための形態】
【００５７】
明確性のために、図には、本発明による機構を駆動するムーブメントは示されていない。
【００５８】
図１には、本発明によるレトログラード機構１の一例が図示されている。このレトログラード機構は、この実施例では分針の形態で示されているレトログラード表示部２を含んでいる。レトログラード分表示部２は、レトログラード可動部２０の軸に取り付けられている。レトログラード可動部２０は、外歯部２００を含んでいる。
【００５９】
ラック３は、ラックスプリング３３の力により渦状カム５の周囲に対して押圧する第１の端部３１を有している。ラック３の第２の端部３２は、内歯部３２０を備えた細長い開口部を含んでいる。ラック３は、渦状カムの作用の下で旋回点から旋回する。この旋回中に、ラックの第２の端部３２の内歯部３２０がレトログラード可動部２０の外歯部２００に係合し、その結果、レトログラード可動部２０によって支持されたレトログラード指示部２が、ラックの第２の端部３２と同方向へ回転する。ラックの運動は、ここでは軸４１を用いてラックの第２の端部３２に連結された歯４で構成された駆動部材へ伝達される。リターンスプリング４２は、歯部６１０に対して歯を押圧するために、歯４に復帰力を作用させる。
【００６０】
ラック３１の第１の端部は、駆動リリースホイール５２によって支持された渦状カム５の回転に従う。この駆動リリースホイール５２は、分指示部２が６０分（又は６０分−復帰時間）の分目盛り１１（図２〜図１１）にわたって進むようにギヤトレーンのホイールによって駆動される。
【００６１】
この実施例では、機構１は、ウィンドウ（図２〜図１１）に現在の時（アワー）を表示させることを可能とする時指示部６を支持するジャンプ表示リング６０を含んでいる。
【００６２】
ジャンプ表示リング６０は、小径駆動リング６１によって駆動される。不図示の代替的な構成では、時指示部６が駆動リング６１又は同径のリングに直接位置決めされることも考えられる。
【００６３】
駆動リング６１は、全内周において複数の歯を有する内歯部６１０を含んでいる。歯の間の空間は、一様であり、欠けた歯はない。歯は、２つの非対称な側面６１００，６１０１を有している。第１の側面６１００は、リング６１の直径に対してほぼ平行となっているとともに、駆動リング６１を駆動部材（歯）４を用いて駆動することを可能とするものである。歯４は、ジャンプアワー表示のための駆動部材として動作する。第２の側面６１０１は湾曲しており、平均の傾斜は駆動リング６１の接線に対して３０°より小さな角度を形成しているため、歯４が第２の側面６１０１に接触するときに、歯は、歯を駆動することなく、また駆動リング６１を駆動することなく、当該第２の側面６１０１に沿って摺動することができる。
【００６４】
駆動リング６１は、外歯部６１１と、先端部が駆動リング６１と同心である露出歯６１１０と、位置決めジャンパ６２の端部６２０を受け入れるように設定された歯６１１０のそれぞれの間の中空部６１１１とを更に含んでいる。
【００６５】
したがって、ジャンパ６２は、ウィンドウ１０（図２）において時指示部を中心合わせするために外歯部６１１と協働する。このジャンパ６２の端部６２０は、駆動リング６１の外歯部の歯６１１０の間で中空部６１１１に係合することで駆動リング６１の運動を妨害する。ジャンパ６２の剛性は、リングが歯４によって駆動されない場合にジャンパ６２が駆動リング６１を所定の位置に保持し、歯４の作用の下でラックスプリング３３の力によってジャンパの端部６２０をジャンプ表示リング６０に結合された外歯部６１１の中空部６１１１から係合解除することができるように、選択されている。
【００６６】
ジャンパ６２は、第１の端部（又は出力端部）及び第２の端部（又は入力端部）を有している。２つの端部は、駆動リング６１の外歯部６１１の垂直な壁部に対して０でない傾斜を示す。ジャンパ６２は、ジャンパスプリング６３と協働する。
【００６７】
他の実施例では、ジャンパの第１の端部のみが駆動リング６１の外歯部の中空部に対して０でない傾斜を有し、したがって、それゆえ修正されたジャンパが中空部に係合する場合に、第２の端部は明らかにこれら中空部のエッジ部に対して平行である。ジャンパのこの特別な形状により、ブロックされるべき駆動リング６１の時計回りの回転が可能となる。換言すれば、ジャンパの第２の端部は、駆動リング６１の時計回りの回転をブロックし、したがって、例えば衝撃時の表示エラーを回避するように構成されている。
【００６８】
レトログラード表示部５、すなわち分針２として０〜６０分への通常の進行中の機構の動作を、図２〜図６を用いて説明する。
【００６９】
図２にはレトログラード分針２の復帰直後の機構が図示されており、したがって、このレトログラード分針は、０分を指している。この位置では、ラックの第１の端部３１が渦状カム５の最小の径に対して係止されている。レトログラード可動部２０は、ラックの開口部における内歯部３２０と係合している。図示の例では、歯４は、ジャンプ表示リング６０の内歯部６１０と接触していない。
【００７０】
図３は、１７分における分針２の位置に対応している。摩擦ディスク中心ホイール９（図１）の歯により反時計回りの方向に駆動される渦状カム５によって、図におけるラックの第２の端部が、分目盛り１１に沿って時計回りの方向へ分針２を移動させるために、時計回りの方向へ移動することになる。駆動部材４（歯）は、係合することなく、駆動リング６１の内歯部の歯の先端部に対して押圧する。したがって、駆動リング６１及びジャンプ表示リング６０は不動のままであり、その位置は、リング６１（図１）の外周における中空部６１１１と協働する位置決めジャンパ６２によって固定されている。
【００７１】
図４は、３５分における分針２の位置に対応している。レトログラード可動部２０は、時計回りの方向へ回転をつづけ、分針２は、分目盛り１１に沿って時計回りの方向へ移動する。駆動部材４（歯）は、係合することなく、リング６１（図１）の内歯部６１０の斜めの側面６１０１との接触に至る。したがって、駆動リング６１及びジャンプ表示リング６０は、不動のままである。
【００７２】
図５は、５９分における分針２の位置に対応している。ラックの第１の端部３１は、渦状カムの最大の直径の近傍で渦状カム５と接触している。駆動部材４（歯）は、内歯部６１０の先端部との接触に至る。０〜５９分のインターバル中には、歯４が、駆動リングの位置を妨げることなく、駆動リング６１（図１）の歯に沿って摺動する。
【００７３】
図６は、６０分における分針２の位置に対応している。ラックの第１の端部３１は、カム５の頂部に位置している。駆動要素４（歯）は、外歯部６１０の先端部を越えて移動しており、駆動リング６１（図１）の内歯部６１０の第１の側面６１００と係合している。このリングは、位置決めジャンパ６２によってまだ所定の位置に保持されている。
【００７４】
６０分においては、同時の渦状カム５に対するラック３の落下により、０への、反時計回りの方向における分指示部２のほぼ瞬時の復帰と、同様に反時計回りの方向における駆動リング６１のジャンプとが生じる。この復帰は、図６〜図１１に図示されている。
【００７５】
図６及び図７には、レトログラード指示部の０分への復帰の開始と、ジャンプ指示部のジャンプの開始とが図示されている。ラックの第１の端部３１は、渦状カム５の頂部からその落下を開始する。ラックの第の端部３２は、反時計回りの方向に回転し、５５分に位置するレトログラード指示部及び歯４を同方向に回転させる。したがって、駆動リング６１は、次第に緩むラックスプリング３３の力により、歯４によって反時計回りの方向に駆動される。ラックスプリングが緩むときに、ラックスプリング３３（図１）は、位置決めジャンパ６２の端部６２０が外歯部６１１の中空部６１１１から離れさせるのに十分なエネルギーをジャンプ表示リング６０（図１）へ伝達する。ｈからｈ＋１への時刻の進みを生じさせる反時計回りの方向へのジャンプ表示リング６０の移動を、ウィンドウ１０を通して見ることができる。
【００７６】
図８及び図９には、レトログラード指示部の戻りの次の部分が図示されている。レトログラード指示部は、それぞれ４０分と２５分に位置決めされている。歯４は、内歯部６１０の第１の側面に沿って移動する。２つのジャンプ表示要素６の間の位置への、反時計回りの方向へのジャンプ表示リング６０の移動を、ウィンドウ１０を通して見ることができる。位置決めジャンパ６２の端部６２０は、歯６１１０に沿って移動する。
【００７７】
図１０には、レトログラード指示部の戻りの終わりが図示されている。レトログラード指示部２は１７分に位置決めされており、歯４は、ジャンプ表示リング６０と結合された内歯部６１０のほぼ先端にあるとともに、すぐにもはや内歯部６１０との噛合が解除される。新たなジャンピング表示要素６を、ウィンドウ１０を通して見ることができる。位置決めジャンパ６２（不図示）は、外歯部６１１の中空部６１１１へ「引き返している（ｄｒｏｐｐｅｄ  ｂａｃｋ）」。
【００７８】
図１１には、レトログラード指示部の０分への復帰が図示されている。レトログラード指示部は０分に位置決めされており、歯４は、もはやジャンプ表示リング６０に結合された内歯部６１０と接触していない。ラックの第１の端部は、カム５の最小の径の部分に位置している。ジャンピング表示要素６の新たな位置を、ウィンドウ１０を通して見ることができる。
【００７９】
図示の実施例では、分は、分目盛り（不図示）におけるレトログラード指示部２の位置によって表示される。分目盛りは、３６０°より小さいが１８０°よりも大きな円弧、例えば２４０°の円弧をカバーする。現在の時（アワー）が表示されるウィンドウは、メモリの開放部分、図示の例では６時の位置において対向して位置する。
【００８０】
各図により図示された実施例では、機構により、分のレトログラード表示と、時（アワー）のジャンプ表示とが可能となる。しかし、このような機構は、時（アワー）とは異なる情報のジャンプ表示のために、及び／又は分とは異なる情報のレトログラード表示のために用いられることが可能である。
【符号の説明】
【００８１】
１              時計ムーブメント用の機構
２              レトログラード指示部
２０            レトログラード可動部
２００          可動部２０の歯部
３              ラック
３１            ラックの第１の端部
３２            ラックの第２の端部
３２０          ラック３の歯部
３３            ラックスプリング
４              駆動部材／歯
４１            軸
４２            スプリング
５              カム
５１            カムの頂部
５２            リリース駆動ホイール
６              ジャンプ表示要素
６０            ジャンプ表示リング、例えばアワーリング
６１            ジャンプ表示リングに結合された駆動リング
６１０          駆動リング６１の内歯部
６１００        歯部６１０の第１の側面
６１０１        歯部６１０の第２の側面
６１０２        歯部６１０の先端部
６１１          駆動リング６１の外歯部
６１１０        歯部６１１の歯
６１１１        歯部６１１の中空部
６２            駆動リング６１を位置決めするためのジャンパ
６２０          ジャンパ６２の端部
９              中央ホイール摩擦ディスク／レトログラード分中間伝達ギヤ
１０            ジャンプアワーウィンドウ
１１            分目盛り
【図１】
2019509504.tif 000003
【図２】
2019509504.tif 000004
【図３】
2019509504.tif 000005
【図４】
2019509504.tif 000006
【図５】
2019509504.tif 000007
【図６】
2019509504.tif 000008
【図７】
2019509504.tif 000009
【図８】
2019509504.tif 000010
【図９】
2019509504.tif 000011
【図１０】
2019509504.tif 000012
【図１１】
2019509504.tif 000013
【手続補正書】
【提出日】平成30年11月15日(2018.11.15)
【手続補正１】
【補正対象書類名】明細書
【補正対象項目名】全文
【補正方法】変更
【補正の内容】
【発明の詳細な説明】
【技術分野】
【０００１】
本発明は、レトログラード表示及びジャンプ表示を有する時計ムーブメント用の機構に関するものである。
【背景技術】
【０００２】
レトログラード表示、すなわち針又はディスクが所定の期間にわたって一方向へ回転し、そして、この期間の終わりにおいて逆方向へ迅速にほぼ瞬時に初期位置へ跳ね戻る表示が時計学において知られている。当該レトログラード表示は、例えば、３６０°より小さな円弧をカバーする１〜６０の目盛りにわたって分を表示するために用いられる。当該レトログラード表示により、他の情報を表示するためのダイヤルにおける空間を解放することが可能である。さらに、各時の分表示部の迅速な戻りにより、時計の文字盤における動きが生み出される。
【０００３】
時刻表示部が１つの値から他の値へほぼ瞬時にジャンプするジャンプ表示も知られている。当該ジャンプ指示部は、とりわけ、ウィンドウにおいて月の特定の日を表示するために用いられる。当該ジャンプ指示部、ウィンドウにおける現在の時（アワー）の表示を含む他の情報を表示するために用いられることもある。本願の範囲内では、「ジャンプ表示（部）」という表現は、ジャンプがほぼ瞬時である表示（部）も、またジャンプが迅速ではないものの、それにもかかわらず表示部の進みが不連続であるトレーリング表示（部）もカバーしている。
【０００４】
本発明の課題は、レトログラード表示とジャンプ表示を組み合わせる時計ムーブメントを生み出すことにある。
【０００５】
レトログラード表示とジャンプ表示を組み合わせる時計もそれ自体知られている。特許文献１には、例えば、１８０°にわたる分表示と、ディスクにおけるジャンプアワー表示とを含む時計が記載されている。アワーディスクは、渦状カムを用いて駆動される。
【０００６】
特許文献２には、ジャンプアワー表示及びレトログラード分表示を含む時計の他の例が記載されている。分ラックは、２つの歯付き部材を有しており、そのうち１つは運動を分表示部材へ伝達するためのものであり、他のものは欠けた１つの歯を有するピニオンによって駆動されるためのものであり、このピニオンは、時歯車に固定されているとともに、１時間につき１回転の割合で駆動される。ラックの瞬時の戻りは、ピニオンの欠けた歯の場所におけるラックの最後の歯の運動に対応する。
【０００７】
特許文献３は、ジャンプアワー表示及びレトログラード分表示を有する時計に関するものであり、この時計においては、アワーディスクのアワージャンプ及びレトログラード針の復帰の両方が、リンクにおいて作用する同一の１つのカムによってもたらされる。
【０００８】
特許文献４は、トリプル（分、時（アワー）、日付）レトログラード表示を有する時計に関するものであり、アワー表示はジャンプ表示である。レトログラードアワー表示は、両方向に移動するラックを用いて達成される。
【０００９】
特許文献５は、１８０°にわたるレトログラード分表示と、ディスクによって支持されウィンドウを通して視認可能なジャンプアワー表示とを含む時計に関するものである。
【００１０】
特許文献６は、レトログラード分表示と、ディスクにおけるジャンプアワー表示とを含む時計に関するものである。レバーが、分歯車に固定された渦状カムの回転によって、１時間ごとに一度持ち上げられる。
【００１１】
特許文献７は、いくつかの歯が欠けているピニオンを用いた２４０°にわたる日付のレトログラード表示を有する時計に関するものである。
【００１２】
特許文献８は、２７０°の角度範囲にわたる時（アワー）のような時刻情報の項目のレトログラード表示を含む時計に関するものである。レトログラードモジュールは、カム及びラックを含んでいる。
【００１３】
特許文献９は、ジャンプアワー表示のための機械的な装置に関するものである。
【００１４】
特許文献１０は、ジャンプアワー表示と、３３０°の範囲にわたる分の表示とを有する時計に関するものである。分表示ホイールと分駆動スターホイールの間に結合解除要素が設けられている。
【００１５】
特許文献１１は、いくつかの歯が欠けているとともにラックに係合する分ピニオンを用いた、ある角度範囲にわたる分のレトログラード表示に関するものである。
【先行技術文献】
【特許文献】
【００１６】
【特許文献１】欧州特許第０９５０９３２号明細書
【特許文献２】スイス国特許出願公開第６９１８３３号明細書
【特許文献３】スイス国特許第６９８１３２号明細書
【特許文献４】欧州特許第１１３４６２７号明細書
【特許文献５】国際公開第９７／４０４２４号
【特許文献６】欧州特許第０７８８０３６号明細書
【特許文献７】スイス国特許出願公開第６８１７６１号明細書
【特許文献８】欧州特許第２０１０９７号明細書
【特許文献９】欧州特許出願公開第２５９５００６号明細書
【特許文献１０】独国特許第１０２００２８４号明細書
【特許文献１１】スイス国特許出願公開第６８８０６８号明細書
【発明の概要】
【発明が解決しようとする課題】
【００１７】
本発明の課題は、存在する解決手段とは異なるレトログラード表示機構を提案することにある。
【００１８】
本発明の他の課題は、公知の機構とは異なる方法のレトログラード表示機構によって駆動されるジャンプ表示機構を提案することにある。
【００１９】
本発明によれば、これら課題は、とりわけ、対応する独立請求項による機構を用いて達成される。
【００２０】
本発明の他の課題は、従来技術の方法とは異なる表示方法を提案することにある。
【００２１】
本発明の他の課題は、単純化されたレトログラード表示方法及びジャンプ表示方法を提案することにある。
【課題を解決するための手段】
【００２２】
本発明によれば、これら課題は、カムと、該カムにより駆動されるラックと、ラックにより駆動され、時刻情報の第１の項目を表示するためのレトログラード指示部を支持するレトログラード可動部とを含む時計ムーブメント機構によって達成され、ラック及びレトログラード可動部が、同方向において回転するように配置されている。
【００２３】
本発明の他の態様によれば、時計ムーブメント機構は、カムと、該カムにより駆動されるラックと、ラックにより駆動され、時刻情報の第１の項目を表示するためのレトログラード指示部を支持するレトログラード可動部とを含んでおり、ラックの端部が、内歯部を有する開口部を含んでおり、レトログラード可動部が、内歯部によって駆動され得る。
【００２４】
ラックの回転方向は、形状と、カム、例えば渦状カムの回転方向とによって決定される。時計の通常の動作中に反時計回りの方向において回転するカムが設けられることが望ましい。なぜなら、これにより、カムが、通常は時計回りの方向において回転する通常の運動のアワーホイールを直接退去させることができるためである。そして、カムの周囲により駆動されるラックは、時計回りの方向において回転する。したがって、ラックと同方向においてレトログラード可動部を直接駆動することを可能とする特許請求された機構により、中間伝達ホイールを省略することができ、したがって、部材点数及びギヤトレーンにおける遊びの量を制限することが可能である。
【００２５】
機構はラックを有することができ、このラックの端部は、内歯部に設けられた開口部を含んでおり、レトログラード可動部が内歯部によって駆動されることが可能である。
【００２６】
内側開口部のほんの一部、例えばカムの反対側における一部が歯部を備えることが可能である。
【００２７】
開口部によって分離された２つの分岐部を備えたラックは、１つの分岐部の従来の端部よりも剛性が高く、レトログラード可動部に対する遊びを制限することが可能である。
【００２８】
この解決手段も、レトログラード表示機構におけるラックの通常でない形状によるより満足な見た目を提供するという利点を有している。ラック、レトログラード可動部及びレトログラード指示部の全てが同一方向へ回転するという事実は、本発明によるレトログラード表示装置の通常でない特質に加えられるものである。
【００２９】
一実施例によれば、時計ムーブメント機構は、カムと、該カムによって駆動されるラックと、ラックにより駆動され、時刻情報の第１の項目を表示するためのレトログラード指示部を支持するレトログラード可動部とを含むことができ、ラック及びレトログラード可動部が、好ましくは、同一方向において回転するように配置され、時刻情報の第２の項目を表示するためのジャンプ表示リングが更に含まれ、ジャンプ表示リングが内歯部を含んでおり、ラックが、ジャンプ表示リングをジャンプ式に回転させるように駆動するために内歯部と協働する駆動部材を含んでいる。
【００３０】
一実施例によれば、カムは、摩擦中央ホイール又は中間伝達ホイールを用いて時計ムーブメントによって駆動されることが可能である。
【００３１】
この解決手段も、新規で、存在する解決手段とは異なる利点を提供するものである。
【００３２】
好ましい一実施例では、時計ムーブメントは、両方向においてレトログラード可動部を補正することが可能な補正機構と、この補正機構によって作動され得るとともに非対称な内歯部と噛合している駆動部材とを含んでおり、その結果、時計回りの方向におけるレトログラード可動部の補正がアワーリングへ伝達される一方、反時計回りの方向における補正はアワーリングに伝達されない。
【００３３】
レトログラード表示の二方向の補正により、一回転を完了することなくレトログラード表示の位置を補正することが可能である。したがって、時刻をより迅速に設定することが可能である。
【００３４】
例えば、レトログラード分表示の場合には、両方向におけるこの表示の位置を補正することが可能である。したがって、時計ムーブメントが２，３分進んでいる場合に、ほぼ一回転進める必要なく、かつ、時（アワー）表示の位置に影響を与えることなく時計ムーブメントを戻して補正することが可能である。
【００３５】
それゆえ、この実施例は、レトログラード表示、例えば分表示のシンプルで迅速な補正を可能とする、従来技術に対する利点を提供するものである。
【００３６】
時計回りの方向におけるレトログラード表示の補正は、ジャンプアワーリングへ伝達される。レトログラード分表示の場合には、このレトログラード分表示は、例えば、分表示が５９から００へ移動するごとに１時間だけジャンプによってジャンプアワー表示を時計回りの方向において補正することを可能とするものである。ジャンプアワーリングのこの補正は、通常の時計の動作中に用いられるジャンプアワー駆動機構を用いて非常にシンプルに達成されることができる。
【００３７】
これに対して、（遅らせるための）時計回りの方向におけるレトログラード分表示の補正は、好ましくはジャンプアワーリングへ伝達されない。これは、通常のジャンプアワー駆動機構が通常は反時計回りの方向においてジャンプを可能とすることによるものであり、ジャンプアワー駆動機構は、ギヤトレーンの作用の下で時計回りの方向においてジャンプアワーリングを移動させるためだけに設定されている。換言すれば、補正は、反時計回りの方向においてリュウズにより駆動されない。例えば、ジャンプアワー駆動機構は、しばしば、ジャンプが一方向にのみ交差し得る、ジャンプを伴うカム、例えば渦状カムを含んでいる。ジャンプアワーリングへの反時計回りの方向における補正の伝達を避けることで、このリングの駆動機構を修正する必要性が回避される。
【００３８】
したがって、反時計回りの方向における分の補正に関して制限されているものの時計回りの方向において制限されていない補正を選択することで、実用的で容易に操作可能であり、同時にムーブメントに関する構造をかなり単純化するムーブメントが得られ、このムーブメントにより、かなり大きな複雑性に対する利便性についての小さな改善のみを提供する両方向において制限されない補正が可能となる。
【００３９】
したがって、この構造により、ジャンプアワー駆動機構を修正する必要なく、リュウズの非常にわずかな操作により行われ得るシンプルで非常に多数の補正を可能とする補正機構を生み出すことができる。
【００４０】
一実施例では、レトログラード可動部がこのディスクのジャンプ付近の範囲内での反時計回りの方向において補正されることを回避し、この範囲の外部でのこのディスクの他の全ての位置において補正を可能とするために、補正ブロック機構が設けられている。例えば、レトログラード可動部が分を表示する場合には、機構は、レトログラード分表示部が６０分を含む範囲において値を示しているときに、反時計回りの方向における補正を阻止することが可能である。これにより、分ディスクの反時計回りの方向における補正の結果、ジャンプアワー表示部がこの範囲において不意に移動するリスクを回避することが可能となる。
【００４１】
この補正ブロック機構はカムフィーラに接続されることができ、このカムフィーラは、ラックに存在することができるとともに、渦状カムがフィーラジャンプの位置の近傍に位置するときに回転の２つの方向のうち１つにおけるこの渦状カムの回転をブロックする。
【００４２】
ジャンプ表示リングに結合された内歯部は、内歯部の１つの歯の１つの側面に当接するように、またラックが反時計回りの方向において回転しているときにジャンプ表示リングを駆動するように、及び内歯部の１つの歯の他の側面に沿って摺動するように、又はラックが時計回りの方向において回転しているときに内歯部と接触しないように、非対称な側面を有する複数の歯を含むことができる。
【００４３】
ラックを駆動する駆動部材は、旋回を可能とする軸を用いてラックに取り付けられることが可能である。
【００４４】
機構は、ラックに取り付けられたスプリングを含むことができるとともに、駆動部材を内歯部に対して押圧する力を作用させることが可能である。
【００４５】
駆動部材は、歯又はフィンガであってよい。
【００４６】
一実施例では、時刻情報の第１の項目が現在の時（アワー）であり、時刻情報の第２の項目が現在の分であってよい。
【００４７】
本発明によれば、上述の時計ムーブメント機構を用いた時刻情報の項目を表示する方法は、ムーブメントが前記カムを駆動するステップと、カムがラックを駆動するステップと、ラックがレトログラード可動部及び指示部を駆動するステップと、ラックがジャンプ現在時（アワー）表示リングを駆動するステップと、レトログラード可動部及び指示部が同方向に回転するステップとを含むことができる。
【００４８】
この方法により、ラックに取り付けられた調整部材によってジャンプ式にジャンプ表示リングを駆動させることが可能である。
【００４９】
本発明によれば、ラックの時計回りの回転は、レトログラード可動部の時計回りの回転と、現在の時（アワー）を表示するためにジャンプ表示リングの反時計回りの回転とが駆動することが可能である。
【００５０】
本発明によれば、カムが反時計回りの方向において回転するとともに時計回りの方向におけるラックの回転を駆動するときに、ラックが、時計回りの方向における回転によって、レトログラード可動部、指示部及びフィンガの同方向における回転を駆動することができ、前記フィンガが、前記リングを回転させることなく、ジャンプ表示リングに結合された内歯部の側面に沿って移動することが可能である。
【００５１】
ラックの第１の端部がカムの頂部から下がるときに、ラックの第２の端部が、ほぼ瞬時に反時計回りの方向において回転するよう駆動され、レトログラード可動部、歯、指示部及び時（アワー）を支持するジャンプ表示リングの同方向におけるほぼ瞬時の回転を生じさせる。
【００５２】
機構は、時計ムーブメントと、ムーブメントと協働するよう意図された複合部（ｃｏｍｐｌｉｃａｔｉｏｎ）、追加モジュールなどで構成されることができる。
【００５３】
上述の機構も、時（アワー）とは異なる情報のジャンプ表示のために、及び／又は分とは異なる情報のレトログラード表示のために用いられることが可能である。
【００５４】
本発明の例示的な実施例が、添付の図面によって示された説明において示される。
【図面の簡単な説明】
【００５５】
【図１】本発明による機構の主要構成要素の平面図である。
【図２】０分における、本発明による機構の主要構成要素の平面図である。
【図３】１７分における、本発明による機構の主要構成要素の平面図である。
【図４】３５分における、本発明による機構の主要構成要素の平面図である。
【図５】５９分における、本発明による機構の主要構成要素の平面図である。
【図６】６０分における、本発明による機構の主要構成要素の平面図である。
【図７】６０分から０分へのジャンプ中における、本発明による機構の主要構成要素の平面図である。
【図８】６０分から０分へのジャンプ中における、本発明による機構の主要構成要素の平面図である。
【図９】６０分から０分へのジャンプ中における、本発明による機構の主要構成要素の平面図である。
【図１０】６０分から０分へのジャンプ中における、本発明による機構の主要構成要素の平面図である。
【図１１】０分における、本発明による機構の主要構成要素の平面図である。
【発明を実施するための形態】
【００５６】
明確性のために、図には、本発明による機構を駆動するムーブメントは示されていない。
【００５７】
図１には、本発明によるレトログラード機構１の一例が図示されている。このレトログラード機構は、この実施例では分針の形態で示されているレトログラード表示部２を含んでいる。レトログラード分表示部２は、レトログラード可動部２０の軸に取り付けられている。レトログラード可動部２０は、外歯部２００を含んでいる。
【００５８】
ラック３は、ラックスプリング３３の力により渦状カム５の周囲に対して押圧する第１の端部３１を有している。ラック３の第２の端部３２は、内歯部３２０を備えた細長い開口部を含んでいる。ラック３は、渦状カムの作用の下で旋回点から旋回する。この旋回中に、ラックの第２の端部３２の内歯部３２０がレトログラード可動部２０の外歯部２００に係合し、その結果、レトログラード可動部２０によって支持されたレトログラード指示部２が、ラックの第２の端部３２と同方向へ回転する。ラックの運動は、ここでは軸４１を用いてラックの第２の端部３２に連結された歯４で構成された駆動部材へ伝達される。リターンスプリング４２は、歯部６１０に対して歯を押圧するために、歯４に復帰力を作用させる。
【００５９】
ラック３１の第１の端部は、駆動リリースホイール５２によって支持された渦状カム５の回転に従う。この駆動リリースホイール５２は、分指示部２が６０分（又は６０分−復帰時間）の分目盛り１１（図２〜図１１）にわたって進むようにギヤトレーンのホイールによって駆動される。
【００６０】
この実施例では、機構１は、ウィンドウ（図２〜図１１）に現在の時（アワー）を表示させることを可能とする時指示部６を支持するジャンプ表示リング６０を含んでいる。
【００６１】
ジャンプ表示リング６０は、小径駆動リング６１によって駆動される。不図示の代替的な構成では、時指示部６が駆動リング６１又は同径のリングに直接位置決めされることも考えられる。
【００６２】
駆動リング６１は、全内周において複数の歯を有する内歯部６１０を含んでいる。歯の間の空間は、一様であり、欠けた歯はない。歯は、２つの非対称な側面６１００，６１０１を有している。第１の側面６１００は、リング６１の直径に対してほぼ平行となっているとともに、駆動リング６１を駆動部材（歯）４を用いて駆動することを可能とするものである。歯４は、ジャンプアワー表示のための駆動部材として動作する。第２の側面６１０１は湾曲しており、平均の傾斜は駆動リング６１の接線に対して３０°より小さな角度を形成しているため、歯４が第２の側面６１０１に接触するときに、歯は、歯を駆動することなく、また駆動リング６１を駆動することなく、当該第２の側面６１０１に沿って摺動することができる。
【００６３】
駆動リング６１は、外歯部６１１と、先端部が駆動リング６１と同心である露出歯６１１０と、位置決めジャンパ６２の端部６２０を受け入れるように設定された歯６１１０のそれぞれの間の中空部６１１１とを更に含んでいる。
【００６４】
したがって、ジャンパ６２は、ウィンドウ１０（図２）において時指示部を中心合わせするために外歯部６１１と協働する。このジャンパ６２の端部６２０は、駆動リング６１の外歯部の歯６１１０の間で中空部６１１１に係合することで駆動リング６１の運動を妨害する。ジャンパ６２の剛性は、リングが歯４によって駆動されない場合にジャンパ６２が駆動リング６１を所定の位置に保持し、歯４の作用の下でラックスプリング３３の力によってジャンパの端部６２０をジャンプ表示リング６０に結合された外歯部６１１の中空部６１１１から係合解除することができるように、選択されている。
【００６５】
ジャンパ６２は、第１の端部（又は出力端部）及び第２の端部（又は入力端部）を有している。２つの端部は、駆動リング６１の外歯部６１１の垂直な壁部に対して０でない傾斜を示す。ジャンパ６２は、ジャンパスプリング６３と協働する。
【００６６】
他の実施例では、ジャンパの第１の端部のみが駆動リング６１の外歯部の中空部に対して０でない傾斜を有し、したがって、それゆえ修正されたジャンパが中空部に係合する場合に、第２の端部は明らかにこれら中空部のエッジ部に対して平行である。ジャンパのこの特別な形状により、ブロックされるべき駆動リング６１の時計回りの回転が可能となる。換言すれば、ジャンパの第２の端部は、駆動リング６１の時計回りの回転をブロックし、したがって、例えば衝撃時の表示エラーを回避するように構成されている。
【００６７】
レトログラード表示部５、すなわち分針２として０〜６０分への通常の進行中の機構の動作を、図２〜図６を用いて説明する。
【００６８】
図２にはレトログラード分針２の復帰直後の機構が図示されており、したがって、このレトログラード分針は、０分を指している。この位置では、ラックの第１の端部３１が渦状カム５の最小の径に対して係止されている。レトログラード可動部２０は、ラックの開口部における内歯部３２０と係合している。図示の例では、歯４は、ジャンプ表示リング６０の内歯部６１０と接触していない。
【００６９】
図３は、１７分における分針２の位置に対応している。摩擦ディスク中心ホイール９（図１）の歯により反時計回りの方向に駆動される渦状カム５によって、図におけるラックの第２の端部が、分目盛り１１に沿って時計回りの方向へ分針２を移動させるために、時計回りの方向へ移動することになる。駆動部材４（歯）は、係合することなく、駆動リング６１の内歯部の歯の先端部に対して押圧する。したがって、駆動リング６１及びジャンプ表示リング６０は不動のままであり、その位置は、リング６１（図１）の外周における中空部６１１１と協働する位置決めジャンパ６２によって固定されている。
【００７０】
図４は、３５分における分針２の位置に対応している。レトログラード可動部２０は、時計回りの方向へ回転をつづけ、分針２は、分目盛り１１に沿って時計回りの方向へ移動する。駆動部材４（歯）は、係合することなく、リング６１（図１）の内歯部６１０の斜めの側面６１０１との接触に至る。したがって、駆動リング６１及びジャンプ表示リング６０は、不動のままである。
【００７１】
図５は、５９分における分針２の位置に対応している。ラックの第１の端部３１は、渦状カムの最大の直径の近傍で渦状カム５と接触している。駆動部材４（歯）は、内歯部６１０の先端部との接触に至る。０〜５９分のインターバル中には、歯４が、駆動リングの位置を妨げることなく、駆動リング６１（図１）の歯に沿って摺動する。
【００７２】
図６は、６０分における分針２の位置に対応している。ラックの第１の端部３１は、カム５の頂部に位置している。駆動要素４（歯）は、外歯部６１０の先端部を越えて移動しており、駆動リング６１（図１）の内歯部６１０の第１の側面６１００と係合している。このリングは、位置決めジャンパ６２によってまだ所定の位置に保持されている。
【００７３】
６０分においては、同時の渦状カム５に対するラック３の落下により、０への、反時計回りの方向における分指示部２のほぼ瞬時の復帰と、同様に反時計回りの方向における駆動リング６１のジャンプとが生じる。この復帰は、図６〜図１１に図示されている。
【００７４】
図６及び図７には、レトログラード指示部の０分への復帰の開始と、ジャンプ指示部のジャンプの開始とが図示されている。ラックの第１の端部３１は、渦状カム５の頂部からその落下を開始する。ラックの第の端部３２は、反時計回りの方向に回転し、５５分に位置するレトログラード指示部及び歯４を同方向に回転させる。したがって、駆動リング６１は、次第に緩むラックスプリング３３の力により、歯４によって反時計回りの方向に駆動される。ラックスプリングが緩むときに、ラックスプリング３３（図１）は、位置決めジャンパ６２の端部６２０が外歯部６１１の中空部６１１１から離れさせるのに十分なエネルギーをジャンプ表示リング６０（図１）へ伝達する。ｈからｈ＋１への時刻の進みを生じさせる反時計回りの方向へのジャンプ表示リング６０の移動を、ウィンドウ１０を通して見ることができる。
【００７５】
図８及び図９には、レトログラード指示部の戻りの次の部分が図示されている。レトログラード指示部は、それぞれ４０分と２５分に位置決めされている。歯４は、内歯部６１０の第１の側面に沿って移動する。２つのジャンプ表示要素６の間の位置への、反時計回りの方向へのジャンプ表示リング６０の移動を、ウィンドウ１０を通して見ることができる。位置決めジャンパ６２の端部６２０は、歯６１１０に沿って移動する。
【００７６】
図１０には、レトログラード指示部の戻りの終わりが図示されている。レトログラード指示部２は１７分に位置決めされており、歯４は、ジャンプ表示リング６０と結合された内歯部６１０のほぼ先端にあるとともに、すぐにもはや内歯部６１０との噛合が解除される。新たなジャンピング表示要素６を、ウィンドウ１０を通して見ることができる。位置決めジャンパ６２（不図示）は、外歯部６１１の中空部６１１１へ「引き返している（ｄｒｏｐｐｅｄ  ｂａｃｋ）」。
【００７７】
図１１には、レトログラード指示部の０分への復帰が図示されている。レトログラード指示部は０分に位置決めされており、歯４は、もはやジャンプ表示リング６０に結合された内歯部６１０と接触していない。ラックの第１の端部は、カム５の最小の径の部分に位置している。ジャンピング表示要素６の新たな位置を、ウィンドウ１０を通して見ることができる。
【００７８】
図示の実施例では、分は、分目盛り（不図示）におけるレトログラード指示部２の位置によって表示される。分目盛りは、３６０°より小さいが１８０°よりも大きな円弧、例えば２４０°の円弧をカバーする。現在の時（アワー）が表示されるウィンドウは、メモリの開放部分、図示の例では６時の位置において対向して位置する。
【００７９】
各図により図示された実施例では、機構により、分のレトログラード表示と、時（アワー）のジャンプ表示とが可能となる。しかし、このような機構は、時（アワー）とは異なる情報のジャンプ表示のために、及び／又は分とは異なる情報のレトログラード表示のために用いられることが可能である。
【符号の説明】
【００８０】
１              時計ムーブメント用の機構
２              レトログラード指示部
２０            レトログラード可動部
２００          可動部２０の歯部
３              ラック
３１            ラックの第１の端部
３２            ラックの第２の端部
３２０          ラック３の歯部
３３            ラックスプリング
４              駆動部材／歯
４１            軸
４２            スプリング
５              カム
５１            カムの頂部
５２            リリース駆動ホイール
６              ジャンプ表示要素
６０            ジャンプ表示リング、例えばアワーリング
６１            ジャンプ表示リングに結合された駆動リング
６１０          駆動リング６１の内歯部
６１００        歯部６１０の第１の側面
６１０１        歯部６１０の第２の側面
６１０２        歯部６１０の先端部
６１１          駆動リング６１の外歯部
６１１０        歯部６１１の歯
６１１１        歯部６１１の中空部
６２            駆動リング６１を位置決めするためのジャンパ
６２０          ジャンパ６２の端部
９              中央ホイール摩擦ディスク／レトログラード分中間伝達ギヤ
１０            ジャンプアワーウィンドウ
１１            分目盛り
【手続補正２】
【補正対象書類名】特許請求の範囲
【補正対象項目名】全文
【補正方法】変更
【補正の内容】
【特許請求の範囲】
【請求項１】
−カム（５）と、
−該カム（５）により駆動されるラック（３）と、
−該ラック（３）により駆動され、時刻情報の第１の項目を表示するためのレトログラード指示部（２）を支持するレトログラード可動部（２０）と
を含む時計ムーブメント用の機構（１）において、
前記ラック（３）及び前記レトログラード可動部（２０）が、同方向において回転するように配置されていることを特徴とする機構。
【請求項２】
前記ラックの１つの端部（３２）が、内歯部（３２０）と嵌合する開口部を含んでおり、前記レトログラード可動部（２０）が、前記内歯部（３２０）によって駆動されることを特徴とする請求項１に記載の機構（１）。
【請求項３】
−時刻表示の第２の項目を表示し、内歯部（６１０）を含むジャンプ表示リング（６０）と、
−前記ジャンプ表示リング（６０）をジャンプ式に回転するように駆動するための前記内歯部（６１０）と協働する駆動部材（４）を含む前記ラック（３）と
を含んでいることを特徴とする請求項１又は２に記載の機構（１）。
【請求項４】
前記内歯部（６１０）が、非対称な側面を有する複数の歯を含んでおり、前記内歯部（６１０）の１つの歯の１つの側面に当接するように、また前記ラック（３）が反時計回りの方向において回転しているときに前記ジャンプ表示リング（６０）を駆動するように、及び前記内歯部（６１０）の１つの歯の他の側面に沿って摺動するように、又は前記ラック（３）が時計回りの方向において回転しているときに前記内歯部（６１０）と接触しないように、前記ラック駆動部材（４）が配置されていることを特徴とする請求項３に記載の機構（１）。
【請求項５】
前記駆動部材（４）が、前記ラックを旋回させ得る軸を用いて前記ラック（３）に取り付けられていることを特徴とする請求項３又は４に記載の機構（１）。
【請求項６】
時刻情報の前記第１の項目が現在の時（アワー）であり、時刻情報の前記第２の項目が現在の分であることを特徴とする請求項３〜５のいずれか１項に記載の機構（１）。
【請求項７】
請求項６に記載された時計ムーブメントを用いた時刻情報の項目を表示する方法であって、以下のステップ：
−前記ムーブメントが前記カム（５）を駆動するステップと、
−前記カムが前記ラック（３）を駆動するステップと、
−前記ラックが前記レトログラード可動部（２０）及び前記レトログラード指示部（２）を駆動するステップと、
−現在の時（アワー）を表示するために、前記ラック（３）が前記ジャンプ表示リング（６０）を駆動するステップと
を含んでいる前記方法において、
前記ラック（３）、前記レトログラード可動部（２０）及び前記指示部（２）が同方向に回転することを特徴とする方法。
【請求項８】
前記ジャンプ表示リング（６０）が、前記ラック（３）に取り付けられた駆動部材（４）によって、ジャンプ式に回転するよう駆動されることを特徴とする請求項７に記載の方法。
【請求項９】
前記ラック（３）の時計回りの回転により、レトログラード可動部（２０）の時計回りの回転と、現在の時（アワー）を表示する前記ジャンプ表示リング（６０）の反時計回りの回転とが駆動されることを特徴とする請求項７又は８に記載の方法。
【国際調査報告】
2019509504.tif 000014
2019509504.tif 000015
2019509504.tif 000016
2019509504.tif 000017